(57)【特許請求の範囲】
【請求項１】
ボデー内の弁体をステムを介して回転自在に設け、且つ、このボデーの軸装フランジに軸装した前記ステムにレバーハンドルを固着した回転弁において、前記レバーハンドルの厚み方向に係合段部を有する装入穴を形成し、この装入穴の底部に装入筒部を吊下形成し、この装入筒部に頭部付き長尺筒体を挿入すると共に、前記長尺筒体に設けためねじ部に前記軸装フランジに埋設状態に装入したボルトを螺合することにより前記ボデーに前記レバーハンドルを締結してレバーハンドルをロックするようにしたことを特徴とする回転弁用レバーハンドルのロック装置。
【請求項２】
前記ボルトの頭部と長尺筒体の頭部の一方又は双方を特殊工具のみを介して操作可能にした請求項１に記載の回転弁用レバーハンドルのロック装置。
【発明の詳細な説明】
【技術分野】
【０００１】
本発明は回転弁用レバーハンドルのロック装置に関し、例えば農地や畑の給水用等に用いられる回転弁用レバーハンドルのロック装置に関する。
【背景技術】
【０００２】
農地を灌漑するため河川等から直接給水できない場合には、水道本管からの給水設備が必要であり、例えば農地の近くに給水装置を設置して農地に水を供給している。
【０００３】
このような給水装置で、何等かの事情で給水を停止する場合には、給水装置に設けられたバタフライ弁等のバルブを閉じて、水の供給を停止することとしている。
しかし、畑地の灌水用などに使用されるこの種のバルブは、例えば盗水目的などでバルブを故意に操作して水の供給を再開しようとすると、バルブは不用意に開けられてしまい、結局給水を停止する目的は達成されないことになる。
【０００４】
そこで、従来よりバタフライ弁の操作を規制する種々の対応手段が講じられてきた。例えば特許文献１にあるように、レバーハンドルに南京錠を取付けるものや、特許文献２にあるようにレバーハンドルの握り部分にロック装置を設けたもの等が提案されている。
【０００５】
特許文献１には、バタフライ弁のステムにロックレバーを有するレバーハンドルを取付け、ステム突出面にはロックレバーを係止するプレートを固定して、レバーハンドルを操作することによりロックレバーの係合部をプレートの係止部に係合させてバタフライ弁を操作するレバーハンドルが示されている。このロックレバーの握り部側にレバーハンドルの下面をほぼ接面とする施錠穴を設け、南京錠を施錠することでロックレバーの握り部分がレバーハンドル側に引き寄せられるのを規制し、これにより、ロックレバーのプレートとの係合部が外れることができなくなり、よってバタフライ弁のレバーハンドルをロックするロック装置である。
【０００６】
また、特許文献１には、バタフライ弁のステムにレバーハンドルを設け、そのすぐ下には南京錠を施錠するための施錠用孔を設けた施錠用アームをレバーハンドルに取付け、ステム突出面にはロックレバーを係止するプレートを固定したバタフライ弁が示されている。このプレートには施錠用アームの施錠用孔と対向する位置に施錠用孔を設けており、このプレートに設けた施錠用孔をレバーハンドルが、例えば弁体が全閉の位置にきたときに施錠可能な位置に設けることで、レバーハンドルが全閉の位置にきたときに施錠孔同士を施錠し、レバーハンドルの操作を規制して、よってバタフライ弁のレバーハンドルをロックするロック装置である。
【０００７】
特許文献２には、バタフライ弁のステム上端部にレバーハンドルを固着して、そのレバーハンドルの握り部の下部にロック部材を設けたレバーハンドルのロック装置が示されている。
このロック装置は、レバーハンドルの握り部が握られない状態で、レバーハンドルの握り部の下部にフランジ部近傍までの長さを有するロック部材を設け、このロック部材には弾性体で弾発されているロッドが内蔵されており、前記フランジ部には略同心円上に複数の係止孔が穿設され、このロッドが係止孔に係止されることにより、任意の位置でレバーハンドルの操作が規制され、これによりバタフライ弁のレバーハンドルの動きをロックするロック装置である。
【０００８】
【特許文献１】実開平２−７４６８３号公報
【特許文献２】特開２００６−２６６３９４号公報
【発明の開示】
【発明が解決しようとする課題】
【０００９】
しかしながら、特許文献１に示されたロック装置では、故意にレバーハンドルを操作しようとする場合には、南京錠は切断工具などを使えば簡単に切断又は破壊することができ、給水停止等の目的にはその効果が十分ではない。特に、ロック装置が外部から容易に視認できるので、故意に外そうとすると取外す手段を講じやすかった。また南京錠を用いることにより南京錠のコストが掛かり、ロックするバタフライ弁の台数が増えると鍵の管理やダイヤルの暗証番号の管理等が負担になってくるという問題も発生していた。
【００１０】
さらに、施錠アームを設けたロック装置では、南京錠を用いることによる問題に加えて、施錠用アームの取付け、プレートの加工等の作業負担や部品点数の増加によるコストアップという弊害があり、また、施錠アームを用いるバタフライ弁の場合には、プレート部分に施錠アームに対向する施錠用孔を設けたものでなければレバーハンドルのみの交換では対応できないという問題があった。
【００１１】
特許文献２では、レバーハンドルが不用意に動くことは防止できるものの、握り部分を握ればレバーハンドルの操作は可能であり、しかもロック構造が外観から容易に視認できることから、故意にロックを解除しようとする事態を阻止することは不可能である。
【００１２】
本発明は、上記問題点に鑑み鋭意研究の結果開発に至ったものであり、その目的とするところは、農地等に設けられる回転弁が故意に又は不用意に操作されるのを防止すると共に、ロック装置が外観から発見されにくいロック装置を提供することにある。
【課題を解決するための手段】
【００１３】
前記目的を達成するために、請求項１に係る発明は、ボデー内の弁体をステムを介して回転自在に設け、且つ、このボデーの軸装フランジに軸装した前記ステムにレバーハンドルを固着した回転弁において、前記レバーハンドルの厚み方向に係合段部を有する装入穴を形成し、この装入穴の底部に装入筒部を吊下形成し、この装入筒部に頭部付き長尺筒体を挿入すると共に、前記長尺筒体に設けためねじ部に前記軸装フランジに埋設状態に装入したボルトを螺合することにより前記ボデーに前記レバーハンドルを締結してレバーハンドルをロックするようにした回転弁用レバーハンドルのロック装置である。
【００１６】
請求項２に係る発明は、ボルトの頭部と長尺筒体の頭部の一方又は双方を特殊工具のみを介して操作可能にした回転弁用レバーハンドルのロック装置である。
【発明の効果】
【００１７】
請求項１に係る発明によると、めねじ部を有する長尺筒体をレバーハンドルの厚み方向に装入し、回転弁のボデーの軸装フランジに埋設状態で装入されたボルトと螺合することで、レバーハンドルをボデーに締結してロックすることができ、また、ボルトの頭部分は軸装フランジに埋設され、さらにボルトのおねじ部分は長尺筒体内に螺合されるので、外部からはロック装置を視認することが難しく、故意にレバーハンドルを操作しようとしても容易にはロック装置を外すことはできず、また不用意にレバーハンドルが操作されることがないロック装置を得ることができる。
【００１８】
さらに、長尺筒体とボルトは着脱自在に装入され、内部にめねじ部を有する長尺筒体にボルトを螺合する構造となっているので、一方を回すと他方が共回りをしてしまい、一方を固定しつつ他方を回さなければ取外すことはできず不用意な操作に好適なロック装置である。
【００１９】
しかも、レバーハンドルに長尺筒体を埋設状態で装入可能な装入穴を設けているので、長尺筒体はレバーハンドルを回転弁の操作方向から見た場合には完全に埋設され、外観から発見することは難しくなっている。これにより故意にレバーハンドルを操作しようとしてもロック装置の発見が難しく、特に、例えば畑等の屋外に設置されたコンクリートピット内の狭隘な場所ではその効果が顕著である。
また、前記装入穴は、底部に段部を設けているので所定の位置で長尺筒体をレバーハンドルに係止することができる。
【００２０】
特に、レバーハンドルに設けた装入穴の下部に、長尺筒体を装入可能な筒部を吊下形成することにより、長尺筒体の胴部とボルトが露出することがないので、外部からロック装置がより発見されにくく、ロック装置をみだりに取外すことが難しくなり、しかもロック装置が筒部によって被覆されるので、ロック装置の着脱が更に困難となるばかりでなく、長尺筒体とボルトを外部より視認されるおそれもなく、屋外にあるロック装置自体を保護することにより耐久性が保持されると共に、レバーハンドル全体のデザイン性も向上する。
【００２１】
請求項２に係る発明によると、ロック構造は、通常のドライバー等の汎用品では操作することができず、また、長尺筒体とボルトの両方の頭部を特殊工具のみでしか操作できない場合は、特殊工具がそれぞれなければロック解除は不可能となるロック装置である。
特に、屋外に設置されたコンクリートピット内は、かなり狭隘な場合が多く、そのような場所での取外し作業は、非常に困難である。
【発明を実施するための最良の形態】
【００２２】
本発明における回転弁用レバーハンドルのロック装置の好ましい実施形態を、バタフラ
イ弁に適用した各例を図面に基づいて説明する。
【００２３】
図１〜図５は、農地等に設置された狭隘なコンクリートピット１内の量水器ユニット２に元弁としてのバタフライ弁３を設けた例を示す。図１において４は量水メータ、５は調節弁、６は配水口である。
【００２４】
図２は、バタフライ弁３の分解斜視図であり、図３は同上のレバーハンドルとプレート部分を示した平面図であり、図４は同上のロック装置部分を示した一部切欠き正面図であり、図５（ａ）、（ｂ）はロック装置の平面図と断面図である。
【００２５】
図２と図４において、短円筒形のボデー７に円板状のジスク（弁体）８をステム９を介して回転自在に設けている。このボデー７の軸装部７ａの上端部には、軸装フランジ１０を設け、ボデー７の上部の軸装部７ａに軸装された前記ステム９の上端部には、レバーハンドル１１の先端部位を固着している。
【００２６】
このレバーハンドル１１の先端軸着部側で、且つ厚み方向（ステム９の軸方向）には、上方に開口部１２を有する装入穴１３を形成し、この装入穴１３の底部に係合段部１４を設けると共に、装入穴１３の底部には、装入穴１３より内径の小さい装入筒部１５を一体に吊下形成し、装入穴１３と装入筒部１５とは、同図４において、垂直方向（ステム９の軸方向）に沿って装入可能に連通した連通状の穴を構成している。この装入筒部１５の下端部は、後述するプレート１６上面に近接した位置まで吊下形成されている。したがって、レバーハンドル１１を全閉位置にセットしたとき、レバーハンドル１１の装入穴１３、装入筒部１５と、後述するプレート１６に形成する連通穴１８と後述する軸装フランジ１０に形成するボルト取付穴１７とは、図４において垂直方向に沿って連通した状態を保持している。
【００２７】
また、軸装フランジ１０には、ボルト取付穴１７を設けており、この取付穴１７は、軸装フランジ１０に自動アクチュエータやハンドル操作機用のプレート１６を取付けるための取付穴を利用している。なお、この取付穴１７は、ボルト取付用に専用の穴として形成しても良い。
【００２８】
このボルト取付穴１７は、レバーハンドル１１を図２に示すように、全閉位置にあるバタフライ弁３のステム９にセットしたときに、レバーハンドル１１の前記装入筒部１５の下端に対向する位置に設けられる。また、軸装フランジ１０には、ボルト２９により固着され、外周に複数の係止溝１６ａを有するプレート１６を固着し、このプレート１６には、ボルト取付穴１７に対向する位置に連通穴１８を形成している。
【００２９】
図４と図５に示したロック装置は、頭部１９ａ付きの長尺筒体１９と、この長尺筒体１９に設けられためねじ２０と、このめねじ２０に螺合するボルト２１によって構成されている。
上記長尺筒体１９は、図４に示すように、装入穴１３の開口部１２より装入すると、頭部１９ａが装入穴１３に埋設した状態で係合段部１４に係合され、この長尺筒体１９のめねじ２０とプレート１６の連通穴１８とが対向し、ボルト取付穴１７より装入したボルト２１を連通穴１８を介して上記めねじ２０に螺合するものであり、ボルト２１の頭部２１ａは、軸装フランジ１０のボルト取付穴１７に埋設した状態で、プレート１６の連通穴１８の外周部位に係合されて長尺筒体１９のめねじ２０とボルト２１とを螺着結合することができる。これにより、ボデー７とレバーハンドル１１とがロック装置を介して締結される。この状態でレバーハンドル１１を回転操作しようとしても、ロック装置を構成するボルト２１が、プレート１６の連通穴１８に干捗し、回転操作は不能であることから、不用意にレバーハンドル１１が操作されることがない。
【００３０】
図５（ａ）（ｂ）に示すように、長尺筒体１９とボルト２１の頭部１９ａ、２１ａの一方又は双方を特殊工具を介してのみ操作可能に設けることによって、ロック解除を困難にしている。例えば、頭部１９ａ、２１ａをヘクサロビュラ穴付ねじや突起付ヘクサロビュラ穴付ねじその他の特殊な頭部構造を有するねじを利用することによって、ロック装置のロック解除を不用意に操作できないようにしている。
なお、実施に応じて、これらの頭部形状は六角穴付き頭部や十字穴付き頭部であっても良いが、ロック解除を困難にするためには特殊構造の頭部を有する長尺筒体やボルトが望ましい。
【００３１】
また、上述の前記ロック装置は、長尺筒体１９とボルト２１のいずれか一方を工具を用いて外そうとしても、ボルト２１と長尺筒体１９とがそれぞれプレート１６や装入穴１３の係合段部１４との締付状態から開放されるだけであり、長尺筒体１９とボルト２１とは常に共回り状態となるため、更に外そうとしてもボルト２１を長尺筒体１９から取外すことができないことから、よりロック解除を困難にすることが可能である。
【００３２】
図４の一点鎖線で示すキャップ２５、２６は、開口部１２や連通穴１８を被蓋するためのものであり、覆うことによってさらに外部からロック装置が発見されるのを困難にし、しかもロック装置の劣化を防いでいる。
同図中Ａ、Ｂは特殊工具でありロック装置の頭部が、例えば図５に示す突起付ヘクサロビュラ穴２２のように特殊な形状をしている場合には、これに対応した特殊工具を用意する。また、同図中２８は、ステム９の上端部にレバーハンドル１１を固着するためのボルトであり、２７はその蓋であり、１１ａはプレート１６の係止溝１６ａに先端を係止するストッパレバー、１１ｂは軸着部、１１ｃはスプリングである。
【００３３】
次に、上記のロック装置におけるロックの仕方とそのロックを取外す仕方について説明する。
図４に示すように、レバーハンドル１１を全閉位置まで回転操作してバタフライ弁３を全閉状態とする。このとき、レバーハンドル１１の装入穴１３と軸装フランジ１０のボルト取付穴１７及びプレート１６の連通穴１８の中心は同芯状態となり、同図において垂直方向に沿ってそれぞれの穴は連通状態となる
【００３４】
この状態において、レバーハンドル１１の装入穴１３と装入筒部１５に長尺筒体１９を装入すると、長尺筒体１９の頭部１９ａが装入穴１３の底部に設けられた係合段部１４に係合された状態で装入される。
【００３５】
一方、軸装フランジ１０のボルト取付穴１７の下方よりボルトを挿入し、前記長尺筒体１９の頭部１９ａとボルト２１の頭部２１ａと対応した特殊工具（専用ドライバー）で長尺筒体１９とボルト２１とを螺合させる。
【００３６】
このとき、ボルト２１の頭部は、軸装フランジ１０の取付穴１７に埋設されて隠れた状態になると共に、長尺筒体１９の胴部２３は装入筒部１５に被覆され、且つ長尺筒体１９の頭部１９ａは、装入穴１３に埋設されて完全に隠れた状態になって、外部よりロック装置を視認することはできず、しかもこのロック状態により、レバーハンドル１１は図４に示すように全閉位置を保持しながら確実にロックされる。
【００３７】
次いで、レバーハンドル１１のロック状態を外すには、２種類の特殊工具を用いて、長尺筒体１９の頭部１９ａとボルト２１の頭部２１ａを緩めることにより長尺筒体１９とボルト２１を取外すと共に、長尺筒体１９を装入穴１３より取り出し、かつボルト２１を軸装フランジ１０の取付穴１７より取り出すことによってロック装置のロックを解除すことができる。
【００３８】
この状態において、レバーハンドル１１を把持しながらストップレバー１１ａをプレートの係止溝１６ａより外して、適宜にレバーハンドル１１を回転操作することによってバタフライ弁を適宜の角度に開方向に操作できるようになる。
【００３９】
ここで、以上のように構成される回転弁用のレバーハンドルのロック装置を装着したバタフライ弁を、図１に示す量水器ユニット２に接続し、コンクリートピット１内に設置した状態について説明する。
コンクリートピット１は、地上に設置された断面四角の枠体であり、この枠内に量水器ユニット２を内蔵している。図１では、この状態を、地面に向かって天方向から図示している。
量水器ユニット２は、地面に対して鉛直方向に配管された水道支管（図示せず）に接続されており、バタフライ弁３は、この水道支管に対して直交方向に接続されている。図１
では、バタフライ弁３が全閉位置にある状態を示しており、畑への灌水を行う場合には、バタフライ弁３のレバーハンドル１１を天方向に９０°回動して全開状態とすることにより、量水メータ４、調節弁５を介して、配水口６から吐水するようにしている。
したがって、量水器ユニット２に接続されたバタフライ弁３を操作しようとする者は、回転弁の操作方向としてレバーハンドル１１を側方から見ることとなるが、本発明に係るロック装置は、装入筒部１５や軸装フランジ１０によって完全に埋設状態となっていることから、外観から発見されることは難しい。よって、故意にレバーハンドル１１を操作しようとしても、容易にはロック装置を外すことができず、また不用意にレバーハンドル１１が操作されることがない。
【００４０】
次に、本発明におけるロック装置の他の例を図６に基づいて説明する。図４における実施形態と同一部分は同一符号を示してその構造と作用効果の説明を省略する。
【００４１】
図６において、レバーハンドル１１の先端固着部側に装入穴１３ａを区画成形し、この装入穴１３ａには、底部に係合段部１４ａと挿入孔１４ｂを形成している。
前述の例と同様に、バタフライ弁を全閉位置にすると、この装入穴１３ａと挿入孔１４ｂと連通穴１８ａとボルト取付穴１７ａは図６において、垂直方向に沿って連通され、この状態で長尺筒体１９とボルト２１を螺着結合してロックすることができる。
【００４２】
この例では図４における挿入筒部１５に相当する部位がないものの、この場合も、頭部付きの長尺筒体１９はレバーハンドル１１に埋設され、しかも、ボルト２１も上記例と同様に軸装フランジ１０に埋設され、長尺筒体１９とボルト２１により構成されるロック装置はそれぞれの頭部が埋設されるので、外部より視認されることなく、また、バタフライ弁３の側方より長尺筒体１９の胴部２３が視認できるのみであり、ねじ構造は外観より確認することはできないため、ロック装置自体を外部より確認することは困難な構成となっている。
【００４３】
図７は、本発明におけるロック装置の更に他例を示したもので、図４における実施形態と同一部分は同一符号を示してその構造と作用効果の説明を省略する。
図７において、レバーハンドル３４の先端側表面に挿入穴３０を貫通して形成し、この挿入穴３０に頭部３１ａを有する長尺筒体３１を挿入すると共に、軸装フランジ１０の連通穴１７ｂに頭部３２ａ付のボルト３２を装入して、上記の例と同様に特殊工具で螺合してロックする。
【００４４】
この場合、長尺筒体３１の頭部３１ａがレバーハンドル３４の表面に露出する以外は、上記の例と同様に、ボルト３２の頭部は取付穴１７ｂに埋没させ、且つ長尺筒体３１のめねじ２０ａは外観から視認できず、長尺筒体３１の胴部３２をバタフライ弁の外観より視認できるのみであるから、外部からロック装置であると判るものではなく、その他の作用効果は上記の例と同様である。また、当該実施例では、レバーハンドル３４に挿入穴３０を設けるのみで、ロック装置を設けることができるので、汎用のレバーハンドルを利用して、挿入穴３０を穴加工するのみで構成でき、上記の例に比してコストの低減化を図ることができる。
なお、同図中２２ａはヘクサロビュラ穴であり、２０ａはめねじ、２４ａはおねじを示している。
また、いずれの実施例においてもレバーハンドル側に長尺筒体を、軸装フランジ側にボルトを配置しているが、レバーハンドル側にボルトを、軸装フランジ側に長尺筒体を配置するようにしてもよい。
【産業上の利用可能性】
【００４５】
本発明は、回転弁に用いられる回転弁用レバーハンドルのロック装置であり、その用途はバタフライ弁に限られず例えばボール弁等にも適用でき、また農地等の灌漑目的に設置された量水器に組込まれて使用される場合のみではなく、他の配管等に用いられる回転弁にも適用できる、さらに屋内屋外を問わずに適用可能であり、例えば工場プラントや、配管設備、空調設備等に用いられる各種の回転弁にも適用可能である。
【図面の簡単な説明】
【００４６】
【図１】本発明のロック装置を設けたバタフライ弁を設けた量水器ユニットがコンクリートピット内に設置された概略図である。
【図２】本発明のロック装置をバタフライ弁に適用した分解斜視図である。
【図３】レバーハンドルとプレート部分を示した平面図である。
【図４】本発明のロック装置を回転弁に適用した一部省略切欠断面図である。
【図５】（ａ）長尺筒体の平面図である。（ｂ）長尺筒体にボルトを螺合した状態の説明断面図である。
【図６】本発明の他の実施形態の一部省略切欠断面図である。
【図７】本発明のさらに他の実施形態の一部切欠断面図である。
【符号の説明】
【００４７】
１  コンクリートピット
３  バタフライ弁
７  ボデー
８  弁体
９  ステム
１０  軸装フランジ
１１  レバーハンドル
１３  装入穴
１４  係合段部
１７  取付穴
１８  連通穴
１９  長尺筒体
１９ａ、２１ａ  頭部
２０  めねじ
２１  ボルト
２３  胴部
Ａ、Ｂ  特殊工具
【図１】
0005185654.tif 000002
【図２】
0005185654.tif 000003
【図３】
0005185654.tif 000004
【図４】
0005185654.tif 000005
【図５】
0005185654.tif 000006
【図６】
0005185654.tif 000007
【図７】
0005185654.tif 000008